(57)【特許請求の範囲】
【請求項１】
前後方向に延びる平面を有して当該前後方向及び当該平面の表裏方向に垂直な幅方向の両側に左端部及び右端部を有する基板と、
前記左端部及び右端部のそれぞれに対して第一摺動機構を介して前記前後方向に摺動可能に連結される左右一対の中間板と、
前記左右一対の中間板に第二摺動機構を介して前記前後方向に摺動可能に連結される摺動板と、
を含むとともに、
前記第二摺動機構は、前記中間板に配設され前記前後方向に延在する摺動部材と、当該摺動部材を前記表裏方向の両側及び前記幅方向の両側から摺動自在に支持する被摺動部材とを含み、
前記摺動板の幅方向の両側に左右一対の前記被摺動部材を取り付け、
前記被摺動部材に前記中間板を被せたこと、
を特徴とする電子機器用スライド装置。
【請求項２】
前後方向に延びる平面を有して当該前後方向及び当該平面の表裏方向に垂直な幅方向の両側に左端部及び右端部を有する基板と、
前記左端部及び右端部のそれぞれに対して第一摺動機構を介して前記前後方向に摺動可能に連結される左右一対の中間板と、
前記左右一対の中間板に第二摺動機構を介して前記前後方向に摺動可能に連結される摺動板と、
を含むとともに、
前記第一摺動機構は、前記中間板に配設され前記前後方向に延在する摺動部材と、当該摺動部材を前記表裏方向の両側及び前記幅方向の両側から摺動自在に支持する被摺動部材とを含み、
前記基板の幅方向の両側に左右一対の前記被摺動部材を取り付け、
前記被摺動部材に前記中間板を被せたこと、
を特徴とする電子機器用スライド装置。
【請求項３】
前記被摺動部材は、
前記摺動部材の前記前後方向の周方向に延在する外周面に周方向の全領域に渡って接触する内周面を有することを特徴とする請求項１又は２に記載の電子機器用スライド装置。
【請求項４】
前記中間板は、
前記摺動部材の前記前後方向の両端部を固定する固定部を含むことを特徴とする請求項１乃至３のいずれか一項に記載の電子機器用スライド装置。
【請求項５】
前記摺動部材が円柱状に構成されるとともに、前記被摺動部材は前記摺動部材を挿通する挿通穴を含むことを特徴とする請求項１乃至４のいずれか一項に記載の
電子機器用スライド装置。
【発明の詳細な説明】
【技術分野】
【０００１】
本発明は、例えば本体部と副体部とを具備して、副体部を本体部に対してスライド可能とする電子機器用スライド装置であって、特には携帯電話、携帯端末等の機器に適用されて好適なものに関する。
【背景技術】
【０００２】
携帯電話や携帯端末を構成する電子機器として、テンキー又はマイク等を有した本体部と、液晶表示装置又はスピーカを有した副体部とを備えて、さらに、本体部に対して副体部をスライド動作させることを可能とする電子機器用スライド装置を具備したものが知られている。
【０００３】
このような電子機器のうち携帯電話においては、本体部に対して電子機器用スライド装置を介して連結された副体部をスライドさせるスライド操作を行うことにより、スピーカをユーザの耳に位置させ、マイクをユーザの口又は顎近傍に位置させる開状態を選択することができる。同様に、携帯端末に適用された場合おいては、非使用時にテンキーを収納する閉状態を選択し、使用時にテンキーを液晶表示装置の手前に露出させる開状態を選択することができる。
【０００４】
この電子機器用スライド装置においては、ヒンジ機構を用いたものに比べて、副体部を本体部に対してスライドさせる開閉操作において、操作自体を片手で行うことをより容易なものとすることができる。加えて、開閉操作の途中において回動に伴う副体部及び本体部のヒンジ中心に対する径方向外側端部の径方向へのふくらみを招くことがないという利点をも有している。このため、ユーザは開閉操作のためのスライド操作をより容易に、かつ、周囲を気にすることなく行うことができる。
【０００５】
この種の電子機器として特許文献１に開示されたものがある。特許文献１に示される電子機器用スライド装置は、副体部に固定されるスライド板を本体部の基板にガイドとレールを有してスライド可能に接続する構成が採用されている。
【０００６】
また、スライド板は基板にストロークの中間で付勢力方向が反転するスプリングを介して連結されており、これにより開く方向のスライド前半においてはユーザの操作に対する反力を付与し、スライド後半においては、ユーザの操作に対する補助力を付与している。この反力と補助力により、ユーザのスライド操作に伴う操作力を、実質的にはスライド前半のみにおいて必要なものとして、ユーザの操作性を高めている。
【０００７】
このような構成の電子機器用スライド装置においては、全体形状が特には横長の長方形を底面とした直方体状であって、スライド方向が縦方向である条件で、副体部を本体に縦方向にスライドさせる場合において、伸長状態における副体部と本体部との重なり量をなるべく小さくすることが要請される。
【０００８】
特に上述したように電子機器においては、本体部にテンキーやキーボード等の入力装置が設置されるケースが多く、ユーザの利便性確保の観点から開状態つまり伸長状態の露出面をより大きくする要請がより大きくなる。すなわち、副体部を本体部に対してスライドさせて伸長させた状態では、副体部と本体部のスライド方向の重なり量はできるだけ小さくして、副体部の開く方向のスライドに伴う本体部の露出面を極力大きくする、換言すれば副体部により隠される本体部の面積をなるべく小さくすることが要請される。
【０００９】
ところが、伸長状態においてはユーザの操作時の副体部の安定性やガイドとレールを含むスライドに寄与する部分の堅牢性を確保する必要も生じることから、ガイドとレールの抱え込み量すなわちオーバーラップ量をある程度長くすることも同時に要請されることとなる。このことは、副体部と本体部の重なり量をある程度確保することが必須となることをも招くこととなる。
【先行技術文献】
【特許文献】
【００１０】
【特許文献１】特開２００８−１１３０６７号公報
【発明の概要】
【発明が解決しようとする課題】
【００１１】
すなわち、重なり量つまり抱え込み量を確保すると言う要請は、伸長状態における本体部のユーザに指向する露出面の面積を十分に大きく確保するという要請を制限することを招く。つまり伸長状態において、本体部の露出面積を所望される面積に確保してユーザの利便性を確保することと、副体部の安定性を確保して操作性を確保することの双方を両立させて商品性を高めることが必ずしも容易でないという問題が生じる。
【００１２】
本発明は、上記問題に鑑み、利便性と操作性を両立させて商品性を高めることができる電子機器用スライド装置を提供することを目的とする。
【課題を解決するための手段】
【００１３】
上記の問題を解決するため、本発明による電子機器用スライド装置は、
前後方向に延びる平面を有して当該前後方向及び当該平面の表裏方向に垂直な幅方向の両側に左端部及び右端部を有する基板と、
前記左端部及び右端部のそれぞれに対して第一摺動機構を介して前記前後方向に摺動可能に連結される左右一対の中間板と、
前記左右一対の中間板に第二摺動機構を介して前記前後方向に摺動可能に連結される摺動板と、
を含むとともに、
前記第二摺動機構は、前記中間板に配設され前記前後方向に延在する摺動部材と、当該摺動部材を前記表裏方向の両側及び前記幅方向の両側から摺動自在に支持する被摺動部材とを含み、
前記摺動板の幅方向の両側に左右一対の前記被摺動部材を取り付け、
前記被摺動部材に前記中間板を被せたこと、を特徴とする。
【発明の効果】
【００１５】
本発明によれば、利便性と操作性を両立させて商品性を高めることができる電子機器用スライド装置を提供することができる。
【図面の簡単な説明】
【００１６】
【図１】本発明に係る電子機器用スライド装置Ｄ１の主要な構成要素を分解して前後方向に並列して示す模式図である。
【図２】本発明に係る電子機器用スライド装置Ｄ１を組み立てて本体部１０及び副体部１１に組み込んだ状態において副体部１１を後方向にスライドさせて開状態とした態様を斜め表方向（上方向）から視て示す模式図である。
【図３】本発明に係る電子機器用スライド装置Ｄ１を組み立てて本体部１０及び副体部１１に組み込んだ状態において副体部１１を後方向にスライドさせて開状態とした態様を表方向（上方向）右方向前方向の三方向から視て示す模式図である。
【図４】本発明に係る電子機器用スライド装置Ｄ１を組み立てて本体部１０及び副体部１１に組み込んだ状態において副体部１１を前方向にスライドさせて閉状態とした態様を斜め表方向から視て示す模式図である。
【図５】本発明に係る電子機器用スライド装置Ｄ１を組み立てて本体部１０及び副体部１１に組み込んだ状態において副体部１１を前方向にスライドさせて閉状態とした態様を表方向（上方向）右方向前方向の三方向から視て示す模式図である。
【図６】本発明に係る電子機器用スライド装置Ｄ１を組み立てた状態においてスライドプレート６を前方向にスライドさせて閉状態とした態様を斜め表方向（上方向）から視て示す模式図である。
【図７】本発明に係る電子機器用スライド装置Ｄ１を組み立てた状態においてスライドプレート６を前方向にスライドさせて閉状態とした態様を上方向右方向前方向の三方向から視て示す模式図である。
【図８】本発明に係る電子機器用スライド装置Ｄ１を組み立てた状態においてスライドプレート６を前方向にスライドさせて閉状態とした態様を上方向から視て示すとともに前後方向に垂直な断面ＡＡ及び断面ＢＢにて示す模式図である。
【図９】本発明に係る電子機器用スライド装置Ｄ１を組み立てた状態においてスライドプレート６を後方向にスライドさせて開状態とした態様を斜め表方向から視て示す模式図である。
【図１０】本発明に係る電子機器用スライド装置Ｄ１を組み立てた状態においてスライドプレート６を後方向にスライドさせて開状態とした態様を上方向右方向前方向の三方向から視て示す模式図である。
【図１１】本発明に係る電子機器用スライド装置Ｄ１が含むシャフト５１とシャフトガイド５２の他の実施形態を斜め表方向から視て示す模式図である。
【図１２】本発明に係る電子機器用スライド装置Ｄ２の主要な構成要素を分解して示す模式図である。
【発明を実施するための形態】
【００１７】
以下、本発明を実施するための形態について、上述した図１〜図１２の添付図面を参照しながら説明する。以下に述べる実施例１及び実施例２の説明に用いる図１〜図１２中において、Ｆは前後方向の前方向を指し、Ｕは表裏方向の表方向（上方向）を指し、Ｒは幅方向のうち右方向を指す。
【実施例１】
【００１８】
図１に示すように、本実施例１の電子機器用スライド装置Ｄ１は、前後方向に延びる平面部１ａを幅方向中央近傍に有して前後方向及び平面の表裏方向に垂直な幅方向の両側に左端部及び右端部を有するベースプレート１（基板）と、ベースプレート１の左端部及び右端部のそれぞれに対して第一摺動機構２Ｌ（３ｃ＋７）、２Ｒ（４ｃ＋７）を介して前後方向に摺動可能に連結される左右一対のサブスライドプレート３、４（中間板）を備える。
【００１９】
さらに、電子機器用スライド装置Ｄ１は、左右一対のサブスライドプレート３、４に第二摺動機構５を介して前後方向に摺動可能に連結されるスライドプレート６（摺動板）と、ガイド７と、スプリング８と、スプリング９と、スプリングピン１０を備える。
【００２０】
加えて、電子機器用スライド装置Ｄ１は、第一摺動機構２Ｌ、２Ｒ及び第二摺動機構５の少なくとも一方、ここでは、第二摺動機構５が、前後方向に延在するシャフト５１（摺動部材）と、シャフト５１を表裏方向の両側及び幅方向の両側から摺動自在に支持するシャフトガイド５２（被摺動部材）と、を備えて構成されている。
【００２１】
本実施例１においては、シャフト５１は例えば金属製の円柱状に構成されるとともに、四角柱状のシャフトガイド５２は、シャフト５１を円柱状のシャフト５１に対応する内周面形状を有して挿通する挿通穴５２ａを備えている。シャフト５１は一のシャフトガイド５２に対して二条設けられており、二条のシャフト５１及び挿通穴５２ａは幅方向に並列されている。
【００２２】
つまり、本実施例１においては、シャフトガイド５２の挿通穴５２ａは、シャフト５１の前後方向の周方向に延在する外周面に周方向の全領域に渡って接触する内周面を構成している。シャフト５１の前後方向の長さはシャフトガイド５２のほぼ二倍程度に設定される。
【００２３】
ここで、左側のサブスライドプレート３は、二条のシャフト５１の前後方向の両端部を固定する固定部としてシャフトホルダ３ａを前後方向に一対備える。同様に右側のサブスライドプレート４は、二条のシャフト５１の前後方向の両端部を固定する固定部としてシャフトホルダ４ａを前後方向に一対備える。
【００２４】
ベースプレート１は、金属製の板材をプレス加工及び折り曲げ加工することにより構成され、幅方向の中央近辺に前後方向に延びる平面部１ａを含む。ベースプレート１の平面部１ａよりも幅方向外側に位置する部分は、表方向に向けて一旦垂直に折り曲げられ、ガイド７の厚みとほぼ同じ程度の厚みだけ表方向に指向した後さらに表方向に位置する部分が、幅方向の内側に向けて再度折り曲げられて、ガイドホルダ１ｂが形成される。なお、ガイドホルダ１ｂは平面部１ａ近傍よりも前後方向に二倍以上程度長くかつ前方向に延出するように形成される。
【００２５】
サブスライドプレート３、４についてもベースプレート１と同様に、金属製の板材をプレス加工及び折り曲げ加工することにより構成される。サブスライドプレート３、４は、幅方向の中央に対して相互に左右対称となる形状を有しており、相互に独立した構成を有する。サブスライドプレート３、４は、幅方向に垂直な前後方向に長い長方形状の平面をなす側面部３ｂ、４ｂを有しており、この側面部３ｂ、４ｂの裏側縁から幅方向外側に延出して前後方向に延在するレール３ｃ、４ｃを有している。
【００２６】
側面部３ｂの裏側縁の前後方向中央近傍においては、裏方向に突出するリアストッパ受部３ｄ、４ｄが形成され、この側面部３ｂの前端部及び後端部から幅方向外側に延出する前後一対のシャフトホルダ３ａ、４ａが形成されている。シャフトホルダ３ａ、４ａは、シャフト５１の前後方向の両端部が嵌合可能な幅方向に並列された二個の嵌合穴３ａａ、４ａａをそれぞれ具備している。前方側に位置するシャフトホルダ３ａ、４ａの裏面側に位置する側面部３ｂの前方側の壁面には、フロントストッパ受部３ｅ、４ｅが形成されている。
【００２７】
レール３ｃ、４ｃの前後方向の端部と、シャフトホルダ３ａ、４ａとの間には前後方向から視た場合に幅方向に延びるスリット状の隙間が形成される。この隙間により、レール３ｃ、４ｃが左右一対のガイド７に対して前後方向にスライドされた場合に、サブスライドプレート３、４が左右一対のガイド７及びガイドホルダ１ｂと干渉することが回避される。
【００２８】
スライドプレート６についても、前後方向に対して幅方向の寸法が長い金属製の板材をプレス加工及び折り曲げ加工することにより構成され、幅方向の中央を含む中間に位置する平板部６ａは、ベースプレート１の平面部１ａに対して表方向にオフセットされて平行をなす平面をなしている。
【００２９】
板材の平板部６ａよりも幅方向外側に位置する部分は裏方向に向けて一旦垂直に折り曲げられて、さらに幅方向の外側に位置する部分が、平板部６ａに対して平行をなすように幅方向内側に再度折り曲げられて、シャフトガイド５２を把持するシャフトガイドホルダ６ｂが形成される。シャフトガイドホルダ６ｂの前後方向の長さはシャフトガイド５２よりも若干短く形成される。これにより、シャフトガイド５２の前後方向の端面とシャフトホルダ３ａ、４ａとの当接を確保している。
【００３０】
平板部６ａのシャフトガイドホルダ６ｂよりも幅方向内側に位置する部分は、舌片状に打ち抜かれた後、裏方向に折り曲げられ、さらに幅方向の内側に再度折り曲げられて、スプリングフロントホルダ６ｃが形成される。
【００３１】
シャフトガイドホルダ６ｂによって前後方向に延びる左右一対の隅部が形成されて、この隅部にシャフトガイド５２が係合止め、インサート成形等の適宜の手段により接合される。シャフトガイド５２は、シャフト５１に対する滑性を良好とするため、ポリアセタール等の樹脂により形成されている。
【００３２】
本実施例１においては、サブスライドプレート３、４の左右一対のレール３ｃ、４ｃを前後方向に摺動可能に挟持する左右一対のガイド７は、ベースプレート１の左右一対のガイドホルダ１ｂに係合止め、インサート成形等の適宜の手段により接合されそれぞれ把持されている。ガイド７についても、例えば上述したレール３ｃ、４ｃに対する滑性を良好とするため、ポリアセタール等の樹脂により形成されている。
【００３３】
ベースプレート１の幅方向両側部の後方側には表方向に突出するリアストッパ１ｃが形成され、ガイドホルダ１ｂの表方向側の前方向端部には幅方向内側に突出するフロントストッパ１ｄが形成され、裏方向側の前方後端部には幅方向内側に突出する、耳部１ｅが形成される。
【００３４】
以上述べた電子機器用スライド装置Ｄ１の組立態様は以下の通りである。スライドプレート６の左右一対のシャフトガイドホルダ６ｂにそれぞれ対応する左右一対のシャフトガイド５２を取り付ける。この後、シャフトガイド５２の幅方向内側からサブスライドプレート３を被せて、シャフトホルダ３ａの二条の嵌合穴３ａａとシャフトガイド５２の二条の挿通穴５２ａの幅方向における位置を一致させて、その状態で、二条のシャフト５１の後端側を、前側のシャフトホルダ３ａの二条の嵌合穴３ａａから挿入する。
【００３５】
さらに、二条のシャフト５１を嵌合穴３ａａの後方に挿入し、シャフトガイド５２の挿通穴５２ａを挿通させて、後側のシャフトホルダ３ａの二条の嵌合穴３ａａに、二条のシャフト５１の後端側を挿通した後、二条のシャフト５１の、後側のシャフトホルダ３ａの二条の嵌合穴３ａａから後方に突出した後端側の頭頂部をカシメて、二条のシャフト５１をシャフトホルダ３ａに固定する。
【００３６】
この後、ベースプレート１の左右一対のガイドホルダ１ｂに、左右一対のガイド７をそれぞれ取り付けて、左側のサブスライドプレート３の左側のレール３ｃを左側のガイド７の溝部に挿入するとともに、右側のレール４ｃを右側のガイド７の溝部に挿入する。
【００３７】
ここで、スプリング８、９を、スプリングピン１０により、一方側についてはベースプレート１の平面部１ａの幅方向中央よりに位置する孔部１ｆに連結し、他方側についてはスライドプレート６のスプリングフロントホルダ６ｃに形成された孔部６ｄに連結することで、本実施例１の電子機器用スライド装置Ｄ１が構成される。
【００３８】
ベースプレート１の平面部１ａ及び耳部１ｅに形成された前後左右四箇所の孔部１ｇには、図示しないネジが挿通されて、図２〜図５に示す電子装置Ｓの本体部１１側に形成された図示しないタップにこのネジが螺合されて、ベースプレート１は本体部１１に固定される。スライドプレート６の前後左右四箇所の孔部６ｅには、図示しないネジが挿通されて、図２〜図５に示す電子装置Ｓの副体部１２側に形成された図示しないタップにこのネジが螺合されて、スライドプレート６は副体部１２に固定される。
【００３９】
ここで、図１中に示す前後方向のうち前方向は、図４及び図５に示す、副体部１２が本体部１１に対して前後方向に完全にオーバーラップする閉位置に向かう方向であり、電子機器用スライド装置Ｄ１を含む電子機器Ｓをユーザが使用している場合にはユーザに向かう方向である。
【００４０】
本体部１１の表側面は、図２及び図３に示すように、スライドプレート６のシャフトガイドホルダ６ｂの裏方向側に延びる壁面部分を挿入して前後方向に摺動可能とするスリット１１ａが形成され、スリット１１ａよりも幅方向内側にはスプリングフロントホルダ６ｃの裏向側に延びる壁面部分を挿入して前後方向に摺動可能とするスリット１１ｂが形成される。
【００４１】
図４及び図５に示すように、シャフトガイドホルダ６ｂと、スプリングフロントホルダ６ｃは本体部１１の内部に収納され、閉状態においてはサブスライドプレート３、４も本体部１１の内部に収納される。図２及び図３に示すように、サブスライドプレート３、４は閉状態から開状態に移行する最終段階で本体部１１の後方向端から後方向側のシャフトホルダ３ａ、４ａ、レール３ｃ、４ｃ、シャフトガイドホルダ６ｂの後方向側部分の一部が本体部１１から露出される。
【００４２】
本体部１１はシャフトガイドホルダ６ｂ及びスプリングフロントホルダ６ｃとサブスライドプレート３の前後方向の摺動と、スプリング８及びスプリング９の伸縮に伴う変形と偏奇を許容するのに必要な空間を含む。
【００４３】
次に本実施例１の電子機器用スライド装置Ｄ１のスライド動作について説明する。図４及び図５に示すように、図２及び図３に示す開状態から、副体部１２を本体部１１に対して前後方向の前方向に最大限移動させた閉状態が選択されると、図６〜図８に示すように、スライドプレート６がベースプレート１に対して最も近接する位置まで前方向にスライドする。図２及び図３に示すように、副体部１２を本体部１１に対して前後方向の後方向に最大限移動させて開状態が選択されると、図９及び図１０に示すように、スライドプレート６がベースプレート１から最も離隔する位置まで後方向にスライドする。
【００４４】
図６〜図８に示される閉状態から図９及び図１０に示される開状態へ移行するにあたっては、左側の第一摺動機構２Ｌを構成するレール３ｃが左側のガイド７に対して後方向にスライドされて、ベースプレート１の左側のリアストッパ１ｃに、左側のサブスライドプレート３のリアストッパ受部３ｄが当接される。これとともに、右側の第一摺動機構２Ｒを構成するレール４ｃが、右側のガイド７に対して後方向にスライドされて、ベースプレート１の右側のリアストッパ１ｃに、右側のサブスライドプレート４のリアストッパ受部４ｄが当接される。
【００４５】
同様に、左側の第二摺動機構５を構成するシャフトガイド５２が左側の二条のシャフト５１に対して後方向にスライドされ、左側のシャフトガイド５２の後方向側の端面が左側のサブスライドプレート３の後方向側のシャフトホルダ３ａに当接される。これとともに、右側の第二摺動機構５を構成するシャフトガイド５２が右側の二条のシャフト５１に対して後方向にスライドされ、右側のシャフトガイド５２の後方向側の端面が右側のサブスライドプレート４の後方向側のシャフトホルダ４ａに当接される。
【００４６】
なお閉状態から開状態への移行にあたって、第一摺動機構２Ｌ及び第一摺動機構２Ｒのスライド動作と、左右一対の第二摺動機構５のスライド動作は、いずれが先に行われてもよい。本実施例１の電子機器用スライド装置Ｄ１においては、スプリング８及びスプリング９により、閉状態から開状態への移行にあたり、中間まではユーザの操作力に対して操作反力を付与し、中間以降はユーザの操作力に対して補助力を付与している。また、スプリング８及びスプリング９は、開状態において操作力が入力されない場合には開状態を保持する保持力を作用させている。
【００４７】
図９及び図１０に示される開状態から図６〜図８に示される閉状態へ移行するにあたっては、左側の第一摺動機構２Ｌを構成するレール３ｃが左側のガイド７に対して前方向にスライドされて、ベースプレート１の左側のフロントストッパ１ｄに、左側のサブスライドプレート３のフロントストッパ受部３ｅが当接される。これとともに、右側の第一摺動機構２Ｒを構成するレール４ｃが、右側のガイド７に対して前方向にスライドされて、ベースプレート１の右側のフロントストッパ１ｄに、右側のサブスライドプレート４のフロントストッパ受部４ｅが当接される。
【００４８】
同様に、左側の第二摺動機構５を構成するシャフトガイド５２が左側の二条のシャフト５１に対して前方向にスライドされ、左側のシャフトガイド５２の前方向側の端面が左側のサブスライドプレート３の前方向側のシャフトホルダ３ａに当接される。これとともに、右側の第二摺動機構５を構成するシャフトガイド５２が右側の二条のシャフト５１に対して前方向にスライドされ、右側のシャフトガイド５２の前方向側の端面が右側のサブスライドプレート４の前方向側のシャフトホルダ４ａに当接される。
【００４９】
なお開状態から閉状態への移行にあたっても、第一摺動機構２Ｌ及び第一摺動機構２Ｒのスライド動作と、左右一対の第二摺動機構５のスライド動作は、いずれが先に行われてもよい。本実施例１の電子機器用スライド装置Ｄ１においては、スプリング８及びスプリング９により、開状態から閉状態への移行にあたっても、中間まではユーザの操作力に対して操作反力を付与し、中間以降はユーザの操作力に対して補助力を付与している。また、スプリング８及びスプリング９は、閉状態において操作力が入力されない場合には閉状態を保持する保持力を作用させている。
【００５０】
以上述べた本実施例１の電子機器用スライド装置Ｄ１及び電子機器用スライド装置Ｄ１を含む電子機器Ｓによれば、以下のような作用効果を得ることができる。すなわち、電子機器用スライド装置Ｄ１においては、ベースプレート１に対してスライドプレート６を前後方向の後方向に最大限移動させた場合において、まず、ベースプレート１とスライドプレート６の前後方向の重なり量を、図２〜図３に示すように、できるだけ小さくすることができる。
【００５１】
これにより、電子機器Ｓにおいて、本体部１１に対して副体部１２を後方向に最大限移動させた場合の、本体部１１の露出される面の面積をより大きなものとして、ユーザの利便性を高めることができる。特に、露出面にテンキーや小型のキーボード等の入力装置を設置する場合に、個々のキーをなるべく大きくし、キー配列の制約もなるべく少なくしてファンクションキー等の配列数を増加させることができ、ユーザの高い利便性を確保することができる。
【００５２】
加えて、レール３ｃ又はレール４ｃとガイド７との前後方向におけるオーバーラップ量と、シャフト５１とシャフトガイド５２の前後方向におけるオーバーラップ量を、ともにできるだけ大きな数値とすることができる。このことにより、電子機器Ｓにおける本体部１１に対する副体部１２の相対変位と相対回転をできるだけ抑制することができる。特に本実施例１においては、表裏方向を中心としたモーメントによるガタツキを防止してユーザの利便性を高めることができる。
【００５３】
ここで、平板の左右一対の側縁を利用したレールとレールの表裏方向と幅方向の外側を覆うコの字状断面のガイドを組み合わせた摺動機構においては、ガイドはレールの表裏方向の両側から及び幅方向の外側からの三方向から支持している。この形態では、一方のレールにおける幅方向の内側からの支持は、他方のレールにおける幅方向の外側からの支持力に依拠することが必要であり、左右一対のレールを連結することが必須であって、連結する部材すなわち平板の前後方向の摺動のためのスペース確保も必須となる。
【００５４】
この点についても本実施例１の電子機器用スライド装置Ｄ１では、第一摺動機構２Ｌ、２Ｒ及び第二摺動機構５の一方である第二摺動機構５が、前後方向に延在する二条のシャフト５１と、二条のシャフト５１を表裏方向の両側及び幅方向の両側の前後方向を中心として９０度毎に位置する四方向から摺動自在に支持するシャフトガイド５２とを含んで構成されることによって解消することができる。
【００５５】
すなわち、第二摺動機構５が含むシャフト５１はシャフトガイド５２により、幅方向の内側からも支持されるので、サブスライドプレート３、４を左右一対備えることとし相互に独立させることができる。つまり、一対のサブスライドプレート３、４を幅方向に連結する部材をなくすことができるので、本体部１１内においてサブスライドプレート３、４を移動させるための空間を、左右両側に集約させてより小さいものとすることができる。
【００５６】
またサブスライドプレート３、４を幅方向に垂直な側面部３ｂ、４ｂを有して、前後方向の両端縁から幅方向外側に突出させてシャフトホルダ３ａ、４ａを形成し、同様に裏方向側の縁部から幅方向の外側にレール３ｃ、４ｃを突出させて形成しているので、図８に示すように、レール３ｃ、４ｃとシャフト５１を幅方向にオーバーラップさせて配置することができる。
【００５７】
このことは、シャフトガイド５２とガイド７をも幅方向にオーバーラップさせて配置することをも導くことができ、第二摺動機構５と第一摺動機構２とを幅方向の外側に集約させて配置することを可能とし、幅方向内側のスペースをより有効に活用することができる。本実施例１においては、左右一対のサブスライドプレート３、４を左右に独立させて配置しており、幅方向に連結する部材を具備しないことと併せて、スライドに寄与しない部品の配置や配線の配策を幅方向の内側に集約させることができるので、内部配置や配策をより有利に行うことができる。
【００５８】
加えて本実施例１の電子機器用スライド装置Ｄ１においては、シャフトガイド５２の挿通穴５２ａが幅方向に並列された円柱状の二条のシャフト５１の外周面を周方向の全領域に渡って接触しているので、シャフト５１に対するシャフトガイド５２の拘束力を増大させることができる。
【００５９】
この拘束力の増大によって、ベースプレート１に対してスライドプレート６が表裏方向を中心として相対回転することに対する相対回転を極力抑制することができる。これにより、スライドプレート６に固定される副体部１２の主に表裏方向を中心とした上述した相対回転が抑制され、操作性を高めることができる。
【００６０】
なお、本実施例１においては、シャフト５１を幅方向に二条並列したが、三条以上並列することもできる。また、円柱状のシャフト５１を幅方向に複数条並列することに換えて、図１１（ａ）に示すように、シャフト５１を表裏方向に垂直で前後方向に長辺を有する長方形平板形状とすることもでき、シャフトガイド５２の挿通穴についても長方形平板形状のシャフト５１の周面を周方向の全領域に渡って外包する形態とすることもできる。
【００６１】
さらに、図１１（ｂ）に示すように、図１１（ａ）に示した長方形平板状のシャフト５１の四隅について適宜Ｒ加工を施して、前後方向に垂直な断面内における形状を、Ｒ部を有する方形状に形成し、シャフトガイド５２の挿通穴もそれに対応した形状とすることもできる。
【００６２】
なお、本実施例１の電子機器用スライド装置Ｄ１においては、左右一対のサブスライドプレート３、４を区別して符号を付したが、リアストッパ受部３ｄがサブスライドプレート３の前後方向の中央に位置させ、リアストッパ受部４ｄがサブスライドプレート４の前後方向の中央に位置させる場合には、左右のサブスライドプレート３、４は相互に共通の部品とすることができる。
【００６３】
上述した実施例１においては、第一摺動機構を通常のレールとコの字状のガイドを用いた形態とし、第二摺動機構をシャフトとシャフトを表裏方向の両側及び幅方向の両側から支持するシャフトガイドを用いた形態としたが、この組合せは適宜変更することができる。すなわち、第二摺動機構を通常のレールとコの字状のガイドを用いた形態とし、第一摺動機構をシャフトとシャフトを表裏方向の両側及び幅方向の両側から支持するシャフトガイドを用いた形態とすることもできる。以下、それについての実施例２について述べる。
【実施例２】
【００６４】
本実施例２の電子機器用スライド装置Ｄ２において、サブスライドプレート３、４及びガイド７については、実施例１に示したものと同様である。但し、サブスライドプレート３、４は表裏方向において実施例１に示したものと延在方向が逆に設定されている。
【００６５】
上述した実施例１の電子機器用スライド装置Ｄ１との主たる相違点は、第二摺動機構５を構成するガイド７を把持するガイドホルダ６１ｂをスライドプレート６１（摺動板）側が具備することと、第一摺動機構２を構成するシャフトガイド２２を把持するシャフトガイドホルダ１１１ｂをベースプレート１１１（基板）が具備することである。
【００６６】
この主たる相違点を具備することに伴って、実施例１に示した電子機器用スライド装置Ｄ１に対して相違する構成要素は、ベースプレート１１１及びスライドプレート６１であるので、以下これらについて説明する。
【００６７】
図１２に示すように、ベースプレート１１１は、金属製の板材をプレス加工及び折り曲げ加工することにより構成され、幅方向の中央近辺に前後方向に延びる平面部１１１ａを含む。
【００６８】
ベースプレート１１１の平面部１１１ａよりも幅方向外側に位置する部分のうち前方向側に位置する部分は、表方向に向けて一旦垂直に折り曲げられ、シャフトガイド２２の表裏方向の厚みよりもほぼ二倍の厚みだけ表方向に指向した後さらに表方向に位置する部分が、幅方向の内側に向けて再度折り曲げられて、シャフトガイドホルダ１１１ｂが形成される。なお、シャフトガイドホルダ１１１ｂはシャフトガイド２２よりも前後方向に若干短く形成されて、サブスライドプレート３、４のシャフトホルダ３ａ、４ａとの当接を確保している。
【００６９】
スライドプレート６１についても、前後方向に対して幅方向の寸法が長い金属製の板材をプレス加工及び折り曲げ加工することにより構成され、幅方向の中央を含む中間に位置する平板部６１ａは、ベースプレート１１１の平面部１１１ａに対して表方向にオフセットされて平行をなす平面をなしている。
【００７０】
板材の平板部６１ａよりも幅方向外側に位置する部分は平板部６１ａよりも前方向に平板部６１ａのほぼ二倍程度突出して形成され、この幅方向外側の部分は裏方向に向けて一旦垂直に折り曲げられて、さらに幅方向の外側に位置する部分が、平板部６１ａに対して平行をなすように幅方向内側に再度折り曲げられて、ガイド７を把持するガイドホルダ６１ｂが形成される。平板部６１ａのガイドホルダ６１ｂよりも幅方向内側に位置する部分は、舌片状に打ち抜かれた後、裏方向に折り曲げられ、さらに幅方向の内側に再度折り曲げられて、スプリングフロントホルダ６１ｅが形成される。
【００７１】
ガイドホルダ６１ｂにガイド７が係合止め、インサート成形等の適宜の手段により接合される。本実施例２においても左右一対のガイド７は、サブスライドプレート３、４の左右一対のレール３ｃ、４ｃを前後方向に摺動可能に挟持している。
【００７２】
スライドプレート６１の幅方向両側部の後方側には裏方向に突出するリアストッパ６１ｃが形成され、ガイドホルダ６１ｂの裏方向側の前方向端部には幅方向内側に突出するフロントストッパ６１ｄが形成される。ベースプレート１１１の前方向側端部には幅方向内側に突出する、耳部１１１ｃが形成される。
【００７３】
以上述べた電子機器用スライド装置Ｄ２の組立態様は以下の通りである。まず、シャフトガイド２２の二条の挿通穴２２ａに、二条のシャフト２１を挿通する。その後、左側の二条のシャフト２１の前後方向端部に、サブスライドプレート３の前後方向一対のシャフトホルダ３ａの嵌合穴３ａａを嵌合し、右側の二条のシャフト２１の前後方向端部に、サブスライドプレート４の前後方向一対のシャフトホルダ４ａの嵌合穴４ａａを嵌合する。
【００７４】
スライドプレート６１の左右一対のガイドホルダ６１ｂに、左右一対のガイド７をそれぞれ取り付けて、左側のレール３ｃを左側のガイド７の溝部に挿入するとともに、右側のレール４ｃを右側のガイド７の溝部に挿入する。この後、ベースプレート１１１の左右一対のシャフトガイドホルダ１１１ｂにそれぞれシャフトガイド２２を取り付ける。
【００７５】
ここで、スプリング８、９を、スプリングピン１０により、一方側についてはベースプレート１１１の平面部１１１ａの幅方向中央よりに位置する孔部１１１ｄに連結し、他方側についてはスライドプレート６１のスプリングフロントホルダ６１ｅに形成された孔部６１ｆに連結することで、本実施例２の電子機器用スライド装置Ｄ２が構成される。
【００７６】
ベースプレート１１１の平面部１１１ａ及び耳部１１１ｃに形成された前後左右四箇所の孔部１１１ｅには図示しないネジが挿通され、図２〜図５に示す電子装置Ｓの本体部１１に形成された図示しないタップにこのネジが螺合されて、ベースプレート１１１が本体部１１に固定される。スライドプレート６１の前後左右四箇所の孔部６１ｇには図示しないネジが挿通され、図２〜図５に示す電子装置Ｓの副体部１２に形成された図示しないタップにこのネジが螺合されて、スライドプレート６１は副体部１２に固定される。
【００７７】
本実施例２の電子機器用スライド装置Ｄ２における閉状態及び開状態の相互間の移行に伴うスライド動作の概要と作用効果については、実施例１に示した電子機器用スライド装置Ｄ１と同等であるため説明は割愛する。
【００７８】
なお、本実施例２で示したシャフト２１とシャフトガイド２２については、本実施例２においてはこれらの構成要素が第一摺動機構２に包含されることを示すため、実施例１に示したシャフト５１とシャフトガイド５２と符号を異ならせているが、部品としては共通化することができる。
【００７９】
以上本発明の好ましい実施例について詳細に説明したが、本発明は上述した実施例に制限されることなく、本発明の範囲を逸脱することなく、上述した実施例に種々の変形および置換を加えることができる。
【産業上の利用可能性】
【００８０】
本発明によれば、利便性と操作性を両立させて商品性を高めることができる電子機器用スライド装置を提供することができるので、本体部に対してある移動方向に移動可能な副体部を有する各種電子機器に適用して有益なものである。
【符号の説明】
【００８１】
Ｓ        電子機器
Ｄ１      電子機器用スライド装置
１        ベースプレート（基板）
１ａ      平面部
１ｂ      ガイドホルダ
１ｃ      リアストッパ
１ｄ      フロントストッパ
１ｅ      耳部
２Ｌ      第一摺動機構（左：３ｃ＋７）
２Ｒ      第一摺動機構（右：４ｃ＋７）
３        サブスライドプレート（中間板：左）
３ａ      シャフトホルダ（固定部）
３ａａ    嵌合穴
３ｂ      側面部
３ｃ      レール
３ｄ      リアストッパ受部
３ｅ      フロントストッパ受部
４        サブスライドプレート（中間板：右）
４ａ      シャフトホルダ（固定部）
４ａａ    嵌合穴
４ｂ      側面部
４ｃ      レール
４ｄ      リアストッパ受部
４ｅ      フロントストッパ受部
５        第二摺動機構（５１＋５２）
５１      シャフト（摺動部材）
５２      シャフトガイド（被摺動部材）
５２ａ    挿通穴
６        スライドプレート（摺動板）
６ａ      平板部
６ｂ      シャフトガイドホルダ
６ｃ      スプリングフロントホルダ
７        ガイド
８        スプリング（左）
９        スプリング（右）
１０        スプリングピン
１１        本体部
１２        副体部
Ｄ２      電子機器用スライド装置
１１１    ベースプレート（基板）
１１１ａ  平面部
１１１ｂ  シャフトガイドホルダ
１１１ｃ  耳部
２        第一摺動機構（２１＋２２）
２１      シャフト
２２      シャフトガイド
２２ａ    挿通穴
５Ｌ      第二摺動機構（左：３ｃ＋７）
５Ｒ      第二摺動機構（右：４ｃ＋７）
６１      スライドプレート（摺動板）
６１ａ    平板部
６１ｂ    ガイドホルダ
６１ｃ    リアストッパ
６１ｄ    フロントストッパ
６１ｅ    スプリングフロントホルダ
【図１】
0005615070.tif 000002
【図２】
0005615070.tif 000003
【図３】
0005615070.tif 000004
【図４】
0005615070.tif 000005
【図５】
0005615070.tif 000006
【図６】
0005615070.tif 000007
【図７】
0005615070.tif 000008
【図８】
0005615070.tif 000009
【図９】
0005615070.tif 000010
【図１０】
0005615070.tif 000011
【図１１】
0005615070.tif 000012
【図１２】
0005615070.tif 000013